(57)【要約】【課題】回転体の回転に伴う摩擦力を低減することができる軸受装置と、係る軸受装置を有する画像形成装置とを提供する。【解決手段】画像形成装置１０は、感光体２０と、感光体２０の軸４６を支持する軸受装置１００とを有する。軸受装置１００は、回転する軸４６に、少なくとも軸４６の回転方向に固定される回転スリーブ１０２と、軸４６を支持する像形成構造体本体３６に少なくとも軸４６の回転方向に固定される固定スリーブ１５０と、回転スリーブ１０２と固定スリーブ１５０とが、軸４６方向で互いに当接するように押圧するカバー部材１８０とを有し、回転スリーブ１０２、及び固定スリーブ１５０は、互いに接触する接触部を有し、その接触部の少なくとも一方が、軸４６の中心軸４８を中心線とする円錐面の一部をなしている。【選択図】図４
2009287590.tif 000002
【特許請求の範囲】
【請求項１】
回転する軸に、少なくとも該軸の回転方向に固定される第１の軸受部と、
前記軸を支持する支持部に少なくとも前記軸の回転方向に固定される第２の軸受部と、
前記第１の軸受部と前記第２の軸受部とが、軸方向で互いに当接するように押圧する押圧手段と、
を有し、
前記第１の軸受部及び前記第２の軸受部は、互いに接触する接触部を有し、該接触部の少なくとも一方が、前記軸の中心を中心線とする円錐面の一部をなす軸受装置。
【請求項２】
前記押圧手段は、前記第２の軸受部材に組み付けられ、前記第１の軸受部を前記第２の軸受部の方向に付勢する付勢部材を有する請求項１記載の軸受装置。
【請求項３】
前記付勢部材は、
前記第２の軸受部に装着される装着部と、
前記装着部と一体をなし、前記第１の軸受部から遠ざかる方向に弾性変形する弾性部と、
を有する請求項２記載の軸受装置。
【請求項４】
前記第２の軸受部と前記第１の軸受部との間に形成され、潤滑剤を保持する保持部をさらに有する請求項１乃至３いずれか記載の軸受装置。
【請求項５】
前記第１の軸受部及び前記第２の軸受部は、前記接触部を少なくとも２つ有し、これらの接触部の１つは、前記第１の軸受部及び前記第２の軸受部の一方に形成された環状の第１の凸部からなり、これらの接触部の他の１つは、前記第１の凸部よりも外側に形成された環状の第２の凸部からなり、
前記保持部は、前記第１の凸部と前記第２の凸部との間に形成される請求項４記載の軸受装置。
【請求項６】
前記第１の軸受部及び前記第２の軸受部は、少なくとも前記接触部が互いに異なる材料からなる請求項１乃至５いずれか記載の軸受装置。
【請求項７】
前記第１の軸受部及び前記第２の軸受部のいずれか一方は、少なくとも前記接触部がポリカーボネートからなり、前記第１の軸受部及び前記第２の軸受部のいずれか他方は、少なくとも前記接触部がポリアセタールからなる請求項６記載の軸受装置。
【請求項８】
画像形成に際して回転する回転体と、
前記回転体の軸を支持する軸受装置と、
を有し、
前記軸受装置は、
前記軸に、少なくとも該軸の回転方向に固定される第１の軸受部と、
前記軸を支持する支持部に少なくとも前記軸の回転方向に固定される第２の軸受部と、
前記第１の軸受部と前記第２の軸受部とが、軸方向で互いに当接するように押圧する押圧手段と、
を有し、
前記第１の軸受部及び前記第２の軸受部は、互いに接触する接触部を有し、該接触部の少なくとも一方が、前記軸の中心を中心線とする円錐面の一部をなす画像形成装置。
【発明の詳細な説明】
【技術分野】
【０００１】
本発明は、軸受装置及び画像形成装置に関する。
【背景技術】
【０００２】
特許文献１には、合成樹脂製の下部ケースと、この下部ケースに組合わされた合成樹脂製の上部ケースと、上部及び下部ケース間に配された合成樹脂製のスラスト滑り軸受手段とを具備しており、該下部ケースは内面を挿通孔とした円筒部と該円筒部の端部外周面に延設された環状幅広鍔部と該幅広鍔部の上面に該円筒部と環状溝を形成して立設された環状突出部と該環状突出部と該幅広鍔部上面とで環状凹部を形成して該幅広鍔部の外周縁に立設された環状係合突出部とを備えており、該上部ケースは円筒部と該円筒部の端部外周面に延設された環状幅広鍔部と該円筒部の他端に径方向内側に延設された環状鍔部と該幅広鍔部の外周縁に垂下した環状係合垂下部とを備えており、該上部ケースは円筒部内周面と前記下部ケースの円筒部外周面との間にラジアル軸受部を形成し、環状鍔部下面を該下部ケースの円筒部端面に対面させるとともに環状係合垂下部を前記下部ケースの環状係合突出部に弾性装着させて該下部ケースに組合わされており、スラスト滑り軸受手段は下部ケースの環状凹部と上部ケースの環状幅広鍔部の対面する面間に配されていることを特徴とする合成樹脂軸受が開示されている（特許文献１）。
【０００３】
【特許文献１】特開平９−７２３３９号
【発明の開示】
【発明が解決しようとする課題】
【０００４】
本発明の目的は、回転体の回転に伴う摩擦力を低減することができる軸受装置と、係る軸受装置を有する画像形成装置とを提供することにある。
【課題を解決するための手段】
【０００５】
本発明の第１の特徴とするところは、回転する軸に、少なくとも該軸の回転方向に固定される第１の軸受部と、前記軸を支持する支持部に少なくとも前記軸の回転方向に固定される第２の軸受部と、前記第１の軸受部と前記第２の軸受部とが、軸方向で互いに当接するように押圧する押圧手段と、を有し、前記第１の軸受部及び前記第２の軸受部は、互いに接触する接触部を有し、該接触部の少なくとも一方が、前記軸の中心を中心線とする円錐面の一部をなす軸受装置にある。
【０００６】
好適には、前記押圧手段は、前記第２の軸受部材に組み付けられ、前記第１の軸受部を前記第２の軸受部の方向に付勢する付勢部材を有する。
【０００７】
また、好適には、前記付勢部材は、前記第２の軸受部に装着される装着部と、前記装着部と一体をなし、前記第１の軸受部から遠ざかる方向に弾性変形する弾性部と、を有する。
【０００８】
また、好適には、前記第２の軸受部と前記第１の軸受部との間に形成され、潤滑剤を保持する保持部をさらに有する。
【０００９】
また、好適には、前記第１の軸受部及び前記第２の軸受部は、前記接触部を少なくとも２つ有し、これらの接触部の１つは、前記第１の軸受部及び前記第２の軸受部の一方に形成された環状の第１の凸部からなり、これらの接触部の他の１つは、前記第１の凸部よりも外側に形成された環状の第２の凸部からなり、前記保持部は、前記第１の凸部と前記第２の凸部との間に形成される。
【００１０】
また、好適には、前記第１の軸受部及び前記第２の軸受部は、少なくとも前記接触部が互いに異なる材料からなる。
【００１１】
また、好適には、前記第１の軸受部及び前記第２の軸受部のいずれか一方は、少なくとも前記接触部がポリカーボネートからなり、前記第１の軸受部及び前記第２の軸受部のいずれか他方は、少なくとも前記接触部がポリアセタールからなる。
【００１２】
また、本発明の第２の特徴とするところは、画像形成に際して回転する回転体と、前記回転体の軸を支持する軸受装置と、を有し、前記軸受装置は、前記軸に、少なくとも該軸の回転方向に固定される第１の軸受部と、前記軸を支持する支持部に少なくとも前記軸の回転方向に固定される第２の軸受部と、前記第１の軸受部と前記第２の軸受部とが、軸方向で互いに当接するように押圧する押圧手段と、を有し、前記第１の軸受部及び前記第２の軸受部は、互いに接触する接触部を有し、該接触部の少なくとも一方が、前記軸の中心を中心線とする円錐面の一部をなす画像形成装置にある。
【発明の効果】
【００１３】
本発明によれば、回転体の回転に伴う摩擦力を低減することができる軸受装置と、係る軸受装置を有する画像形成装置とを提供することができる。
【発明を実施するための最良の形態】
【００１４】
次に本発明の実施形態を図面に基づいて説明する。
図１には、本発明の第１の実施形態に係る画像形成装置１０が示されている。
画像形成装置１０は、画像形成装置本体１２を有し、画像形成装置本体１２の上部に排出部１６が設けられているとともに、画像形成装置本体１２内に、画像形成部１４と、画像形成部１４に用紙を供給する用紙供給部５０が装着されているとともに、画像形成装置本体１２内に用紙が搬送される用紙搬送路１８が形成されている。
【００１５】
画像形成部１４は電子写真方式のもので、像保持体として用いられるとともに、画像形成に際して回転する回転体として用いられるドラム形状の感光体２０と、感光体２０を一様に帯電する帯電装置２２と、帯電装置２２により帯電された感光体２０に光により潜像を書き込む光書き込み装置２４と、光書き込み装置２４により形成された感光体２０の潜像を現像剤により現像し、可視化する現像装置２６と、現像装置２６により可視化された現像剤像を用紙に転写する例えば転写ロールからなる転写装置２８と、感光体２０に残存する現像剤をクリーニングするクリーニング装置３０と、転写装置２８により転写された用紙上の現像剤像を用紙に定着させる定着装置３２とを有する。画像形成部１４を構成する部材のうち、感光体２０、帯電装置２２、現像装置２６及びクリーニング装置３０は、像形成構造体３４として一体化されていて、例えば、画像形成装置本体１２の前側（図１における右側）から画像形成装置本体１２内に着脱することができるようになっている。
【００１６】
感光体２０は、像形成構造体の筐体である像形成構造体本体３６に対して像形成構造体本体３６の左側板（図１における手前側の側板）に設けられ、回転体支持装置として用いられるとともに、像形成用回転体支持装置として用いられる軸受装置１００と、像形成構造体本体３６の右側板（図１における奥側の側板）に設けられた軸受部材２００とによって回転可能に支持されている。このように、この実施形態では、軸受装置１００及び軸受部材２００は、画像形成装置本体１２に装着される像形成構造体本体３６を介して、感光体２０を、画像形成装置本体１２に対して間接的に支持しているが、軸受装置１００及び軸受部材２００が、画像形成装置本体１２に対して感光体２０を直接に支持するように用いても良い。すなわち、軸受装置１００及び軸受部材２００を、画像形成装置本体１２に対して直接装着しても良い。
【００１７】
用紙供給部５０は、用紙収納容器５２と、ピックアップロール５４と、送り出しロール５６と、捌きロール５８とを有する。
用紙収納容器５２には、記録媒体として用いられる用紙が積載された状態で収納されていて、用紙収納容器５２は、画像形成装置本体１２の例えば前側に引き出し可能、又は画像形成装置本体１２の例えば前側から画像形成装置本体１２内に着脱可能であって、画像形成装置本体１２から引き出したり、取り外したりした状態で用紙を補給することができるようになっている。
【００１８】
ピックアップロール５４は、用紙収納容器５２の積載された用紙のうち最上部に位置する用紙を取り出すために用いられる。送り出しロール５６は、ピックアップロール５４によって取り出された用紙を用紙搬送方向における下流側に向けて送り出すために用いられる。また、捌きロール５８は、ピックアップロール５４側から用紙が重なった状態で供給された場合に、重なった状態の用紙を捌いて分離する機能を有する。
【００１９】
また、画像形成装置本体１２内には、用紙搬送路１８に沿って、用紙搬送方向における上流側から順に、先述の用紙供給部５０、レジストロール４０、先述の転写装置２８、先述の定着装置３２、及び排出ロール４２が設けられている。レジストロール４０は、用紙供給部５０から送り出された用紙を、画像形成部１４で画像形成がなされるタイミングに合わせて、感光体２０と転写装置２８との接触部に供給するために用いられる。排出ロール４２は、定着装置３２で現像剤像の定着がなされた用紙を、排出部１６に排出するために用いられる。
【００２０】
以上のように構成された画像形成装置１０では、感光体２０が帯電装置２２により一様に帯電され、帯電された感光体２０に、画像信号に基づいて光書き込み装置２４から発せられた光が照射されて潜像が形成され、この潜像が現像装置２６の現像剤により現像されて現像剤像が形成される。一方、用紙収納容器５２に積載された用紙がレジストロール４０へと送り出され、送り出された用紙が、レジストロール４０によって画像形成部１４でなされる画像形成と同期するように転写装置２８と感光体２０との間に供給され、供給された用紙に転写装置２８により現像剤像が転写される。転写された現像剤像は定着装置３２によって用紙に定着され、現像剤像が定着された用紙は、排出ロール４２によって排出部１６に排出される。
【００２１】
図２には、感光体２０、軸受装置１００、及び軸受部材２００が示されている。
感光体２０は、感光体本体２１と軸４６とを有する。軸４６は、回転する軸として用いられていて、軸４６の中心が中心軸４８となっている。また、軸４６は、感光体本体２１の長手方向両端部から突出するように感光体本体２１に装着されている。感光体２０には、例えば軸４６に、モータからなる駆動源２５０が例えばギア列からなる駆動伝達機構（不図示）を介して連結されていて、駆動源２５０から駆動が伝達されることで、感光体２０は中心軸４８を中心に、感光体本体２１及び軸４６が一体として回転する。
【００２２】
軸受部材２００は、例えば樹脂からなる滑り軸受からなり、外周側が像形成構造体本体３６の右側板に固定され、内周面に軸４６が回転可能に挿入されている。軸受装置１００は、像形成構造体本体３６の左側板に固定され、軸４６を回転可能に支持している。
【００２３】
図３は、軸受装置１００を示す斜視図である。
図３に示されるように、軸受装置１００は、回転スリーブ１０２と、固定スリーブ１５０と、カバー部材１８０とを有する。回転スリーブ１０２は、第１の軸受部として用いられており、固定スリーブ１５０は第２の軸受部として用いられており、カバー部材１８０は押圧手段として用いられているとともに、付勢部材として用いられている。
【００２４】
図４は軸受装置１００を示す断面図であり、図５は回転スリーブ１０２を示す斜視図であり、図６は固定スリーブ１５０を示す斜視図であり、図７は、カバー部材１８０を示す斜視図である。
【００２５】
図４及び図５に示すように、回転スリーブ１０２は、軸４６に少なくとも軸４６の回転方向に固定されている。この実施形態では、回転スリーブ１０２は、軸４６の長手方向（中心軸４８の方向）においても軸４６に固定されるものの、回転スリーブ１０２は、軸４６に少なくとも軸４６の回転方向に固定されていれば良く、軸４６の長手方向に摺動するように移動可能なものであっても良い。
【００２６】
回転スリーブ１０２は、感光体２０側に中心軸４８と略垂直な面である被押圧面１０４を有し、固定スリーブ１５０の側にテーパー面１０６を有する。被押圧面１０４は、カバー部材１８０が接触する部位であり、カバー部材１８０の少なくとも一部が、被押圧面１０４に接触するようになっている。テーパー面１０６には、第１の凸部１１０と、第２の凸部１１２とが形成されている。第１の凸部１１０と、第２の凸部１１２とは、それぞれが固定スリーブ１５０と互いに接触する接触部として用いられている。
【００２７】
第１の凸部１１０は、中心軸４８を中心とする環状の突起であり、固定スリーブ１５０に接触している。第２の凸部１１２は、第１の凸部１１０と同様に中心軸４８を中心とする環状の突起であり、中心軸４８に対して第１の凸部１１０よりも外側に形成されていて、第１の凸部１１０と同様に固定スリーブ１５０に接触している。また、回転スリーブ１０２には、中心軸４８を通る円を断面形状として有する貫通孔１２０が形成されていて、貫通孔１２０に感光体２０の軸４６が挿入され、嵌め合いは締まり嵌めとなっている。このため、回転スリーブ１０２は、感光体２０、軸４６と一体として回転する。
【００２８】
図４及び図６に示すように、固定スリーブ１５０は、像形成構造体本体３６に少なくとも軸４６の回転方向に固定されている。この実施形態では、固定スリーブ１５０は、軸４６の長手方向においても像形成構造体本体３６に固定されているものの、固定スリーブ１５０は、像形成構造体本体３６に少なくとも軸４６の回転方向に固定されていれば良く、像形成構造体本体３６の長手方向に摺動するように移動可能なものであっても良い。
【００２９】
固定スリーブ１５０は、テーパー面１５２と、外側面１５４とを有する。
外側面１５４は中心軸４８を中心とする円筒面であり、外側面１５４が像形成構造体本体３６に形成された貫通孔に挿入されるようにして、軸受装置１００は、像形成構造体本体３６に固定されている。外側面１５４と像形成構造体本体３６との嵌め合いは、締まり嵌めとなっている。
【００３０】
テーパー面１５２は、軸４６の中心である中心軸４８を中心線とする円錐面の一部をなしている。すなわち、テーパー面１０６は、頂点が中心軸４８上に位置する円錐形の側面の一部となっている。また、テーパー面１５２には、第１の凸部１１０、及び第２の凸部１１２が接触する。すなわち、テーパー面１５２の一部が、回転スリーブ１０２と互いに接触する接触部として用いられている。この実施形態では、テーパー面１５２の全体が、軸４６の中心である中心軸４８を中心線とする円錐面の一部となっているが、テーパー面１５２は、少なくとも第１の凸部１１０が接触する接触部、及び第２の凸部１１２が接触する接触部が、軸４６の中心である中心軸４８を中心線とする円錐面の一部をなしていれば良い。
【００３１】
また、固定スリーブ１５０には、例えば２つの組み付け孔１５６が形成されている。組み付け孔１５６は、固定スリーブ１５０に対して、カバー部材１８０を組み付けるために用いられていて、例えば中心軸４８の側から外側面１５４の側に貫通するように形成されている。また、２つの組み付け孔１５６は、中心軸４８に対して、互いに対称となる位置に形成されている。また、固定スリーブ１５０には、軸４６の回転スリーブ１０２から感光体２０と逆側に突出した部分が貫通するように貫通孔１５８が形成されている。
【００３２】
図４及び図７に示すように、カバー部材１８０は、回転スリーブ１０２と固定スリーブ１５０とが、軸４６の方向（軸４６の長手方向）で接触するように押圧する押圧手段として用いられているとともに、固定スリーブ１５０に組み付けられ、回転スリーブ１０２を固定スリーブ１５０の方向に付勢する付勢部材として用いられて、板部１８２と、例えば２つの装着用突起１８６と、例えば４個の板バネ部１９０とを有する。
【００３３】
板部１８２は中心軸４８に対して略垂直に配置されており、板部１８２には、感光体２０の軸４６が貫通する貫通孔１８４が形成されている。装着用突起１８６は、固定スリーブ１５０に装着される装着部として用いられていて、板部１８２に、固定スリーブ１５０の側に突出するように、組み付け孔１５６に相当する数である２つ設けられている。カバー部材１８０は、２つ装着用突起１８６、１８６が、それぞれ組み付け孔１５６、１５６に挿入されるようにして、固定スリーブ１５０に装着され、組み付けられる。
【００３４】
板バネ部１９０は、装着用突起１８６と一体をなし、回転スリーブ１０２に接触して回転スリーブ１０２から遠ざかる方向に弾性変形する弾性部として用いられていて、それぞれが、板部１８２に一体として形成されていて、互いに隣り合う板バネ部１９０の中心軸４８に対する角度が等しくなるように配置されている。また、板バネ部１９０は、それぞれが、板部１８２に形成されたＵ字形状の切り欠き１８８によって板部１８２から区切られていて、一部が板部１８２と連続している。そして、板バネ部１９０の、例えば板部１８２と連続した位置と逆側の位置には、それぞれ接触突起１９２が形成されている。
【００３５】
接触突起１９２は、回転スリーブ１０２の側に突出するように形成された突起であり、カバー部材１８０が固定スリーブ１５０に組み付けられると、回転スリーブ１０２の被押圧面１０４に接触する。この際、接触突起１９２が被押圧面１０４に接触することにより、板バネ部１９０は、それぞれが回転スリーブ１０２と逆方向に弾性変形する。このため、板バネ部１９０からの力を受けて、回転スリーブ１０２は固定スリーブ１５０の側に付勢され、固定スリーブ１５０に対して押圧される。
【００３６】
また、軸受装置１００は、回転スリーブ１０２と固定スリーブ１５０との間に形成され、潤滑剤を保持する保持部として用いられる潤滑剤保持室１９６を有する。潤滑剤保持室１９６は、第１の凸部１１０と第２の凸部１１２との間に形成され、第１の凸部１１０、第２の凸部１１２、テーパー面１０６、及びテーパー面１５２で囲まれた空間からなる。潤滑剤保持室１９６には、回転スリーブ１０２と固定スリーブ１５０との間の摩擦を低減させるために用いられる潤滑剤Ｇが保持される。潤滑剤Ｇとしては、例えば、ペースト状グリースが用いられる。
【００３７】
回転スリーブ１０２と固定スリーブ１５０とは互いに異なる材料からなり、より具体的には、回転スリーブ１０２はポリカーボネートからなり、固定スリーブ１５０はポリアセタールからなる。ポリカーボネートからなる回転スリーブ１０２と、ポリアセタールからなる固定スリーブ１５０とを用いることに替えて、ポリカーアセタールからなる回転スリーブ１０２と、ポリカーボネートからなる固定スリーブ１５０とを用いても良い。また、必ずしも回転スリーブ１０２と固定スリーブ１５０との全体を異なる材料とする必要はなく、回転スリーブ１０２の少なくとも固定スリーブ１５０に接触する接触部と、固定スリーブ１５０の少なくとも回転スリーブ１０２に接触する接触部とを互いに異なる材料とすれば足りる。
【００３８】
また、回転スリーブ１０２と固定スリーブ１５０とは互いに異なる材料であれば良く、回転スリーブ１０２と固定スリーブ１５０との一方をポリカーボネートからなるものとし、他方をポリアセタールからなるものとすることに替えて、回転スリーブ１０２と固定スリーブ１５０との一方をポリアセタール樹脂、ポリアミド樹脂、ポリブチレンテレフタレート樹脂等のポリエステル樹脂、ポリエチレン樹脂、ポリプロピレン樹脂等のポリオレフィン樹脂、ポリカーボネート樹脂及びフッ素樹脂のいずれか１つからなるものとし、回転スリーブ１０２と固定スリーブ１５０との他方を、上述の材料群から選択された他の材料からなるものとしても良い。
【００３９】
図８には、本発明の第１の実施形態に用いられるカバー部材１８０の変形例が示されている。
先述の第１の実施形態においては、板バネ部１９０は、それぞれが、板部１８２に形成されたＵ字形状の切り欠き１８８によって板部１８２から区切られるようにして形成されていた。これに対して、この変形例においては、板部１８２に、中心軸４８を中心とする同心円上に、中心軸４８からの角度が略等しくなるように形成された切り欠き１８８ａと、切り欠き１８８ｂとが、それぞれ４個形成されていて、切り欠き１８８ａと切り欠き１８８ｂとの間に形成される４個の領域が、それぞれ板バネ部１９０となっている。また、接触突起１９２は、それぞれが板バネ部１９０の略中央部に形成されている。
【００４０】
図９には、本発明の第２の実施形態に係る画像形成装置１０が有する軸受装置１００が示されている。
先述の第１の実施形態においては、回転スリーブ１０２のテーパー面１０６に第１の凸部１１０と、第２の凸部１１２とが形成されていたのに対して、この第２の実施形態においては、固定スリーブ１５０のテーパー面１５２に、第１の凸部１６０と第２の凸部１６２とが形成されている。そして、第１の凸部１６０と、第２の凸部１６２との間に潤滑剤保持室１９６が形成される。潤滑剤保持室１９６は、第１の凸部１６０、第２の凸部１６２、テーパー面１０６、及びテーパー面１５２で囲まれた空間からなり、潤滑剤保持室１９６には、第１の実施形態と同様に潤滑剤Ｇが保持される。
【００４１】
この第２の実施形態においては、テーパー面１０６の少なくとも第１の凸部１１０に接触する部分と第２の突起１６２に接触する部分とが、軸４６の中心である中心軸４８を中心線とする円錐面の一部をなしている。尚、第１の実施形態と同一部分については、図９に同一番号を付して説明を省略する。
【００４２】
図１０には、本発明の第３の実施形態に係る画像形成装置１０が有する軸受装置１００が示されている。
先述の第１の実施形態、及び第１の実施形態においては、軸受装置１００は、回転スリーブ１０２を有し、回転スリーブ１０２に感光体２０の軸４６が装着されていた。これに対して、この第３の実施形態においては、感光体２０の右側の端部から突出する軸４６が軸受装置１００の一部をなし、他の部材を介することなく直接に回転可能に支持されている。すなわち、この第３の実施形態では、軸４６が、回転する軸として用いられているとともに、回転する軸に固定される第１の軸受部として用いられている。
【００４３】
また、先述の第１の実施形態、及び第２の実施形態においては、第１の凸部１１０、及び第２の凸部１１２との複数の凸部が形成されていたのに対して、この第３の実施形態においては、凸部は１つが形成されている。すなわち、軸４６にテーパー面１３０が形成され、テーパー面１３０に１つの凸部１３２が形成されている。
【００４４】
また、先述の第１の実施形態、及び第２の実施形態においては、軸受装置１００は、固定スリーブ１５０を有し、固定スリーブ１５０にテーパー面１５２が形成され、固定スリーブ１５０が像形成構造体本体３６に装着されていた。これに対して、この第３の実施形態においては、像形成構造体本体３６の一部が軸受装置１００の一部をなし、像形成構造体本体３６にテーパー面１７０が形成されている。すなわち、この第３の実施形態では、像形成構造体本体３６が、軸４６を支持する支持部として用いられているとともに、支持部に固定される第２の軸受部として用いられている。
【００４５】
また、先述の第１の実施形態、及び第２の実施形態においては、回転スリーブ１０２は、固定スリーブ１５０に対して、固定スリーブ１５０に組み付けられるカバー部材１８０によって押圧されていた。これに対して、この第３の実施形態においては、感光体２０が像形成構造体本体３６の右側の側面に対して、押圧部材１７２によって押圧される。押圧部材１７２は、例えばコイルスプリング等の弾性体からなり、例えば感光体２０の左側部に装着されている。
【産業上の利用可能性】
【００４６】
以上述べたように、本発明は、軸受装置と、例えばドラム形状の感光体などの回転体と、この回転体の軸を支持する軸受装置を有する例えば複写機、ファクシミリ装置、コピー機等の画像形成装置等に適用することができる。
【図面の簡単な説明】
【００４７】
【図１】本発明の第１の実施形態に係る画像形成装置を示す左側面図である。
【図２】本発明の第１の実施形態に係る画像形成装置において、感光体ドラムが支持される状態を示し、図１におけるＡ−Ａ線断面を示す断面図である。
【図３】本発明の第１の実施形態に係る軸受を示し、図３（ａ）は左後方からの斜視図であり、図３（ｂ）は右前方からの斜視図である。
【図４】本発明の第１の実施形態に係る軸受を示し、図１におけるＡ−Ａ線断面を拡大して示す断面図である。
【図５】本発明の第１の実施形態に係る軸受が有するケーシング部材を示す斜視図である。
【図６】本発明の第１の実施形態に係る軸受が有する回転部材を示す斜視図である。
【図７】本発明の第１の実施形態に係る軸受が有する押圧部材を示す斜視図である。
【図８】本発明の第１の実施形態に係る軸受が有する押圧部材の変形例を示す斜視図である。
【図９】本発明の第２の実施形態に係る軸受を示す断面図である。
【図１０】本発明の第３の実施形態に係る軸受を示す断面図である。
【符号の説明】
【００４８】
１０      画像形成装置
１２      画像形成装置本体
１４      画像形成部
２０      感光体
４６      軸
４８      中心軸
１００    軸受装置
１０２    回転スリーブ
１０６    テーパー面
１１０    第１の凸部
１１２    第２の凸部
１２０    貫通孔
１３０    テーパー面
１３２    凸部
１５０    固定スリーブ
１５２    テーパー面
１５６    組み付け孔
１５８    貫通孔
１６０    第１の凸部
１６２    第２の凸部
１７０    テーパー面
１７２    押圧部材
１８０    カバー部材
１８２    板部
１８      装着用突起
１９０    板バネ部
１９６    潤滑剤保持室
Ｇ        潤滑剤
【図１】
2009287590.tif 000003
【図２】
2009287590.tif 000004
【図３】
2009287590.tif 000005
【図４】
2009287590.tif 000006
【図５】
2009287590.tif 000007
【図６】
2009287590.tif 000008
【図７】
2009287590.tif 000009
【図８】
2009287590.tif 000010
【図９】
2009287590.tif 000011
【図１０】
2009287590.tif 000012